(57)【要約】  色ムラまたは表示ムラを抑えた表示装置およびその製造方法を提供する。第１基板と第２基板とを対向配置した表示パネルを備え、前記第１基板には第１構造物が設けられ、前記第２基板には第２構造物が設けられ、前記第１構造物と前記第２構造物との相対位置関係が、前記表示パネルの非平面特性に応じて二次元的に調整されている表示装置。
2014141842.tif 000002
【特許請求の範囲】
【請求項１】
第１基板と第２基板とを対向配置した表示パネルを備え、
前記第１基板には第１構造物が設けられ、
前記第２基板には第２構造物が設けられ、
前記第１構造物と前記第２構造物との相対位置関係が、前記表示パネルの非平面特性に応じて二次元的に調整されている
表示装置。
【請求項２】
前記表示パネルは、湾曲されていると共に、前記相対位置関係の二次元的な調整が施された調整領域を含む
請求項１記載の表示装置。
【請求項３】
前記表示パネルは、二次元配置された複数の画素を有し、
前記第１構造物および前記第２構造物は、前記複数の画素の各々に設けられ、
前記調整領域では、前記複数の画素の各々において前記第２構造物の前記第１構造物に対する湾曲方向のずれ補正量が設定されていると共に、前記ずれ補正量が前記複数の画素にわたって二次元的に異なっている
請求項２記載の表示装置。
【請求項４】
前記ずれ補正量は、前記調整領域の中央部で最も大きく、前記調整領域の前記中央部から前記調整領域の周辺部に向かって二次元的に減少している
請求項３記載の表示装置。
【請求項５】
前記調整領域に、多重環状パターンをなす複数領域が設定され、
前記ずれ補正量は、前記複数領域のうち最も内側の領域で最も大きく、前記最も内側の領域から最も外側の領域に向かって段階的に減少している
請求項４記載の表示装置。
【請求項６】
前記表示パネルは、一次元的に湾曲され、前記湾曲方向における両端部が前記調整領域となっている
請求項５記載の表示装置。
【請求項７】
前記表示パネルは、球面をなし、前記球面が前記調整領域となっている
請求項５記載の表示装置。
【請求項８】
前記表示パネルは、平坦部と、前記平坦部の外周の球面部とを有し、前記球面部が前記調整領域となっており、
前記調整領域に、多重環状パターンをなす複数領域が設定され、
前記ずれ補正量は、前記複数領域のうちの中間領域で最も大きく、前記中間領域から最も内側の領域に向かって段階的に減少していると共に、前記中間領域から最も外側の領域に向かって段階的に減少している
請求項４記載の表示装置。
【請求項９】
前記非平面特性は、所定の映像情報に基づく色ムラまたは表示ムラに関する測定値である
請求項１記載の表示装置。
【請求項１０】
前記表示パネルは液晶パネルであり、
前記第１構造物はブラックマトリクスであり、
前記第２構造物は配線またはカラーフィルタである
請求項１記載の表示装置。
【請求項１１】
前記液晶パネルはＶＡ方式である
請求項１０記載の表示装置。
【請求項１２】
前記ブラックマトリクスまたは前記カラーフィルタの表面にオーバーコート層を有する
請求項１０記載の表示装置。
【請求項１３】
第１基板に第１構造物を設ける工程と、
第２基板に第２構造物を設ける工程と、
前記第１基板と前記第２基板とを対向配置して表示パネルを形成する工程と
を含み、
前記第１構造物と前記第２構造物との相対位置関係を、前記表示パネルの非平面特性に応じて二次元的に調整する
表示装置の製造方法。
【請求項１４】
前記第１構造物または前記第２構造物を設ける工程において、前記第１基板または前記第２基板が平坦な状態で、前記相対位置関係の二次元的な調整を施した調整領域を形成したのち、
前記表示パネルを形成する工程において、前記表示パネルを湾曲させる
請求項１３記載の表示装置の製造方法。
【請求項１５】
前記表示パネルに、二次元配置された複数の画素を形成し、
前記第１構造物および前記第２構造物を、前記複数の画素の各々に設け、
前記調整領域では、前記複数の画素の各々において前記第２構造物の前記第１構造物に対する湾曲方向のずれ補正量を設定すると共に、前記ずれ補正量を前記複数の画素にわたって二次元的に異ならせる
請求項１４記載の表示装置の製造方法。
【請求項１６】
前記ずれ補正量を、前記調整領域の中央部で最も大きく、前記調整領域の前記中央部から前記調整領域の周辺部に向かって二次元的に減少させる
請求項１５記載の表示装置の製造方法。
【請求項１７】
前記調整領域に、多重環状パターンをなす複数領域を設定し、
前記ずれ補正量を、前記複数領域のうち最も内側の領域で最も大きくし、前記最も内側の領域から最も外側の領域に向かって段階的に減少させる
請求項１６記載の表示装置の製造方法。
【請求項１８】
前記非平面特性として、所定の映像情報に基づく色ムラまたは表示ムラに関する測定値を求め、
前記測定値に基づいて前記ずれ補正量を計測または予測する
請求項１６記載の表示装置の製造方法。
【請求項１９】
前記表示パネルとして液晶パネルを形成し、
前記第１構造物としてブラックマトリクスを形成し、
前記第２構造物として配線またはカラーフィルタを形成する
請求項１３記載の表示装置の製造方法。
【請求項２０】
前記ブラックマトリクスまたは前記カラーフィルタの表面にオーバーコート層を形成する
請求項１９記載の表示装置の製造方法。
【発明の詳細な説明】
【技術分野】
【０００１】
本開示は、湾曲状パネルを有する表示装置およびその製造方法に関する。
【背景技術】
【０００２】
現在、液晶パネルを搭載したテレビジョン装置が広く普及し、更に、映像技術の開発に伴ってより高画質な様々なコンテンツを視聴することが可能になった。最近では、液晶パネルを湾曲させた湾曲状パネルを搭載したテレビジョン装置も開発されている。【０００３】
湾曲状パネルは、二枚の基板を対向配置した平面パネルを湾曲状に変形させている。従って、一方の基板上の構造物（例えばブラックマトリクス）と他方の基板上の構造物（例えばカラーフィルタやデータ配線）との相対位置関係がずれて、色ムラや表示ムラの原因となるおそれがある。【０００４】
これに対処するため、例えば特許文献１には、ブラックマトリクスの水平方向の幅を、基板の左右の両端部と中央部とで異ならせることが記載されている。【０００５】
また、例えば特許文献２は、画素領域の湾曲方向ピッチを、湾曲の内側となる基板と外側となる基板とで異ならせることを提案している。更に、特許文献２では、湾曲に起因して生じる画素領域のずれ量が、液晶表示パネルの湾曲方向（具体的には横方向）の座標に対して比例するように変化すると説明している。
【先行技術文献】
【特許文献】
【０００６】
【特許文献１】特開２００８−１４５７７８号公報
【特許文献２】特開２００７−３３３８１８号公報
【発明の概要】
【０００７】
このような湾曲状パネルを備えた表示装置では、二枚の基板上の構造物の相対位置関係のずれを小さくし、色ムラや表示ムラを抑えることが望まれている。
【０００８】
従って、色ムラや表示ムラを抑えて高品質な表示を行うことが可能な表示装置およびその製造方法を提供することが望ましい。
【０００９】
本開示の一実施の形態による表示装置は、第１基板と第２基板とを対向配置した表示パネルを備え、第１基板には第１構造物が設けられ、第２基板には第２構造物が設けられ、第１構造物と第２構造物との相対位置関係が、表示パネルの非平面特性に応じて二次元的に調整されているものである。
【００１０】
本開示の一実施の形態の表示装置では、第１基板上の第１構造物と第２基板上の第２構造物との相対位置関係が、表示パネルの非平面特性に応じて二次元的に調整されている。よって、第１構造物と第２構造物との相対位置関係のずれが小さくなり、色ムラや表示ムラが抑えられる。
【００１１】
本開示の一実施の形態による表示装置の製造方法は、第１基板に第１構造物を設ける工程と、第２基板に第２構造物を設ける工程と、第１基板と第２基板とを対向配置して表示パネルを形成する工程とを含み、第１構造物と第２構造物との相対位置関係を、表示パネルの非平面特性に応じて二次元的に調整するようにしたものである。
【００１２】
本開示の一実施の形態の表示装置または本開示の一実施の形態の表示装置の製造方法によれば、第１構造物と第２構造物との相対位置関係を、表示パネルの非平面特性に応じて二次元的に調整するようにしたので、色ムラや表示ムラを抑えて高品質な表示を行うことが可能となる。
【図面の簡単な説明】
【００１３】
【図１】本開示の第１の実施の形態に係る表示装置の前面側から見た外観の一例を表す斜視図である。
【図２】図１に示した表示装置の背面側から見た外観の一例を表す斜視図である。
【図３】図１に示した液晶パネルの中央部における内部構成の一例を表す断面図である。
【図４】図１に示した液晶パネルの湾曲形状の一例を表す上面図である。
【図５】図３に示した液晶セルの平面図である。
【図６】図５に示した液晶セルの表示領域において、緑色の液晶表示素子と青色の液晶表示素子との境界の構成を表す断面図である。
【図７】液晶パネルの湾曲に起因するブラックマトリクスとデータ線およびカラーフィルタとの相対位置関係のずれを表す断面図である。
【図８】湾曲した液晶パネルにおいて、ブラックマトリクスとデータ線およびカラーフィルタとの相対位置関係のずれに起因する表示不良を模式的に表した平面図である。
【図９】平面パネルにおけるブラックマトリクスと、データ線およびカラーフィルタとの相対位置関係を表した断面図である。
【図１０】図８に示した有色帯におけるブラックマトリクスのデータ線およびカラーフィルタに対する位置ずれ状態を表した断面図である。
【図１１】図８に示した中立帯におけるブラックマトリクスのデータ線およびカラーフィルタに対する位置ずれ状態を表した断面図である。
【図１２】図８に示した高光漏れ領域におけるブラックマトリクスのデータ線およびカラーフィルタに対する位置ずれ状態を表した断面図である。
【図１３】液晶パネルに、多重環状パターンをなす複数領域からなる調整領域を設定した例を表す平面図である。
【図１４】図１３に示した最も外側の領域における各画素のブラックマトリクスのずれ補正量を表す平面図である。
【図１５】図１３に示した中間の領域における各画素のブラックマトリクスのずれ補正量を表す平面図である。
【図１６】図１３に示した最も内側の領域における各画素のブラックマトリクスのずれ補正量を表す平面図である。
【図１７】図１４ないし図１６に示したずれ補正量の分布と、図１３に示した調整領域の複数領域との対応関係を、Ｘ方向の直線に沿って模式的に表した図である。
【図１８】図１４ないし図１６に示したずれ補正量の分布と、図１３に示した調整領域の複数領域との対応関係を、Ｙ方向の直線および斜め方向の直線に沿って模式的に表した図である。
【図１９】図１に示した表示装置における表示状態の一例を模式的に表す図である。
【図２０】変形例１に係る表示装置の液晶パネルの表示領域において、緑色の液晶表示素子と青色の液晶表示素子との境界の構成を表す断面図である。
【図２１】変形例２に係る表示装置の液晶パネルの表示領域において、緑色の液晶表示素子と青色の液晶表示素子との境界の構成を表す断面図である。
【図２２】図２１に示した液晶パネルにおいて、湾曲に起因する位置ずれを補正しない状態を表す断面図である。
【図２３】変形例３に係る表示装置の液晶パネルの表示領域において、緑色の液晶表示素子と青色の液晶表示素子との境界の構成を表す断面図である。
【図２４】図２３に示した液晶パネルにおいて、湾曲に起因する位置ずれを補正しない状態を表す断面図である。
【図２５】変形例４に係る表示装置の液晶パネルの形状および調整領域の多重環状パターンの配置例を表す平面図である。
【図２６】図２５のＸＸＶＩ−ＸＸＶＩ線における断面図である。
【図２７】変形例５に係る表示装置の液晶パネルの形状および調整領域の多重環状パターンの配置例を表す平面図である。
【図２８】図２７のＸＸＶＩＩＩ−ＸＸＶＩＩＩ線における断面図である。
【図２９】変形例６に係る表示装置の液晶パネルの形状および調整領域の多重環状パターンの配置例を表す平面図である。
【図３０】図２９のＸＸＸ−ＸＸＸ線における断面図である。
【図３１】変形例７に係る表示装置の液晶パネルの形状および調整領域の多重環状パターンの配置例を表す平面図である。
【図３２】図３１のＸＸＸＩＩ−ＸＸＸＩＩ線における断面図である。
【図３３】図３１のＸＸＸＩＩＩ−ＸＸＸＩＩＩ線における断面図である。
【図３４】変形例８に係る表示装置の液晶パネルの形状および調整領域の多重環状パターンの配置例を表す平面図である。
【図３５】図３４のＸＸＸＶ−ＸＸＸＶ線における断面図である。
【図３６】図３５のＸＸＸＶＩ−ＸＸＸＶＩ線における断面図である。
【図３７】変形例９に係る表示装置の液晶パネルの形状および調整領域の多重環状パターンの配置例を表す平面図である。
【図３８】図３７のＸＸＸＶＩＩＩ−ＸＸＸＶＩＩＩ線における断面図である。
【図３９】図３７のＸＸＸＩＸ−ＸＸＸＩＸ線における断面図である。
【図４０】変形例１０に係る表示装置の液晶パネルの形状および調整領域の多重環状パターンの配置例を表す平面図である。
【図４１】図４０のＸＸＸＸＩ−ＸＸＸＸＩ線における断面図である。
【図４２】図４０のＸＸＸＸＩＩ−ＸＸＸＸＩＩ線における断面図である。
【図４３】変形例１１に係る表示装置の液晶パネルの断面図である。
【図４４】変形例１２に係る表示装置の液晶パネルの断面図である。
【図４５】変形例１３に係る表示装置の液晶パネルの断面図である。
【図４６】図４５に示した第２基板の平面図である。
【発明を実施するための形態】
【００１４】
以下、本開示の実施の形態について図面を参照して詳細に説明する。なお、説明は以下の順序で行う。
１．実施の形態（ＣＯＡ（Color filter On Array）構造の例）
２．変形例１（ブラックマトリクス上にオーバーコート層を設ける例）
３．変形例２（通常構造の例）
４．変形例３（ＢＯＡ（Black matrix On Array）構造の例）
５．変形例４（Ｘ方向に湾曲、凸面状・矩形パネルの例）
６．変形例５（Ｙ方向に湾曲、凹面状・矩形パネルの例）
７．変形例６（Ｙ方向に湾曲、凸面状・矩形パネルの例）
８．変形例７（凹面状球面・楕円パネルの例）
９．変形例８（凸面状球面・楕円パネルの例）
１０．変形例９（凹面状球面・中央部が平坦な楕円パネルの例）
１１．変形例１０（凸面状球面・中央部が平坦な楕円パネルの例）
１２．変形例１１（ブラックマトリクスの端面の傾斜角度を小さくした例）
１３．変形例１２（ブラックマトリクスとオーバーコート層との高さを同じにした例）
１４．変形例１３（第２基板の窪みにブラックマトリクスを埋め込み、オーバーコート層を省略した例）
【００１５】
図１は、本開示の一実施の形態に係る表示装置を前面側から見た外観を表し、図２は、この表示装置を背面側からみた外観を表したものである。この表示装置１は、例えばテレビジョン装置として用いられるものであり、画像表示のための平板状の本体部２をスタンド３Ａ，３Ｂ（以下、スタンド３と総称する。）により支持した構成を有している。なお、表示装置１は、スタンド３を本体部２に取り付けた状態で、床，棚または台などの水平面に載置して据置型として用いられるが、スタンド３を本体部２から取り外した状態で壁掛型として用いることも可能である。
【００１６】
本明細書において、本体部２の前後方向をＺ方向、本体部２の主面（最も広い面）において左右方向をＸ方向、上下方向をＹ方向という。
【００１７】
本体部２は、表示パネルとして、例えば、液晶パネル１０を有している。本体部２の左右端には、後述するスピーカを遮蔽するための前部外装部材４が取り付けられている。液晶パネル１０および前部外装部材４の上下辺には、化粧部材（フロントベゼル）５が被せられている。本体部２の背面は、後部外装部材（リアカバー）６により覆われている。
【００１８】
図３は、図１に示した液晶パネル１０の中央部における内部構成を表したものであり、Ｙ方向に平行な断面を表している。液晶パネル１０は、Ｚ方向前方から後方に向かって、前部筐体（トップシャーシ）１１，液晶セル１２，中間筐体（ミドルシャーシ）１３，光学シート１４，導光板１５、反射板１６を、この順に有している。なお、反射板１６の後ろには、後述する板部材１７が設けられている。
【００１９】
前部筐体１１は、液晶パネル１０の前面周縁部を覆う枠状の金属部品である。液晶セル１２は、例えば、第１基板３１（ＴＦＴ基板）と第２基板３２（対向基板）との間に液晶層（図３には図示せず、図６参照。）を封止した構成を有している。液晶セル１２は、例えばソースドライバ（図示せず）およびソース基板１２Ａを備えている。液晶セル１２とソース基板１２Ａとは、ＣＯＦ（Chip on Film）１２Ｂにより接続されている。中間筐体１３は、液晶セル１２および光学シート１４を保持する枠状の樹脂部品である。光学シート１４は、例えば、拡散板，拡散シート，レンズフィルム，偏光分離シートなどを含んでいる。導光板１５は、光源（図示せず）からの光を液晶パネル１０側へと導くものであり、例えば、ポリカーボネート樹脂（ＰＣ）またはアクリル樹脂（例えば、ＰＭＭＡ（ポリメチルメタクリレート））などの透明熱可塑性樹脂を主に含んで構成されている。反射板１６は、導光板１５の裏側へ出射してきた光を導光板１５へ向けて戻すものであり、発泡ＰＥＴ（ポリエチレンテレフタレート），銀蒸着フィルム，多層膜反射フィルム，または白色ＰＥＴなどの板状またはシート状部材である。
【００２０】
液晶パネル１０の主要な構成要素（枠状部品および基板類を除く）、すなわち液晶セル１２，光学シート１４，導光板１５および反射板１６は、いずれもガラスまたは樹脂よりなる薄い板状またはシート状の可撓性部材により構成されている。従って、液晶パネル１０は全体として可撓性を有している。
【００２１】
また、液晶パネル１０は、図１に示したように、Ｘ方向に一次元的に湾曲されている。具体的には、液晶パネル１０は、例えば図４に示したように、後方（背面側）に凸に湾曲した円弧状のＸ−Ｚ断面形状を有していることが望ましい。このようにすることにより、液晶パネル１０を前方正面から見たときの形状において、中央部が左右部よりもゆるやかに細くなる（図１５参照。）ので、遠近法の視覚効果により一体感・没入感を生み出すことが可能となる。
【００２２】
液晶パネル１０の湾曲形状は、Ｙ方向においては一様であることが好ましい。Ｙ方向において曲率が変化している場合には、液晶パネル１０に局所的にひねりが入り、液晶パネル１０が損傷を受けたり、表示不良を招いたりするおそれがあるからである。
【００２３】
更に、液晶パネル１０の左右（本体部２の左右端）には、図１に示した前部外装部材４の内側に、スピーカ（図示せず）が配置されている。このようにスピーカを本体部２の左右端に配置することにより、映像と音とが視覚的に分離なく一体化し、上述した液晶パネル１０の湾曲による遠近法の視覚効果と相俟って、一体感・没入感を更に強めることが可能となる。
【００２４】
図３に示した板部材１７は、液晶パネル１０を所望の曲率で湾曲した状態に保持するものである。板部材１７は、例えば、液晶パネル１０の背面全体を覆うことが可能な程度の寸法を有する金属または樹脂よりなる可撓性の板により構成されている。板部材１７は、例えば、屈曲または湾曲形状を有する枠部材（図示せず）が裏面にねじ等で固定されることにより、所望の湾曲形状を維持している。
【００２５】
図１および図２に示したスタンド３は、例えば、本体部２の左右の下部に設けられていることが好ましい。その理由は以下の通りである。液晶パネル１０が後方に凸に湾曲している場合には、本体部２の重心の位置に対して、左右端の位置が前方に来るため、スタンド３が本体部２によって隠され、液晶パネル１０が平坦な場合に比べて、スタンド３の本体部２の前方へのはみ出しを目立たなくさせることが可能となる。また、本体部２の左右端にはスピーカが配置されているので、本体部２の左右の下部に敷設されたスタンド３によって、スピーカを確実に支持することが可能となる。
【００２６】
なお、スタンド３は、本体部２の左右の下部に限らず、本体部２の中央の下部に設けることも可能である。また、液晶パネル１０の湾曲が強い場合には、本体部２をスタンド３なしで自立させるようにすることも可能である。図２において向かって左側のスタンド３Ａと、右側のスタンド３Ｂとは、分離されていてもよいし、連結されていてもよい。
【００２７】
図５は、図３に示した液晶セル１２の平面構成を表したものである。液晶セル１２は、Ｘ方向に長い矩形の平面形状を有し、中央部に表示領域１２Ｃが配置されている。表示領域１２Ｃの周囲には、矩形状の封止枠１２Ｄが設けられている。
【００２８】
表示領域１２Ｃには、複数の画素ＰＸＬが二次元配置（図５では例えば６行×９列）されている。各画素ＰＸＬは、例えば、赤色の液晶表示素子３０Ｒと、緑色の液晶表示素子３０Ｇと、青色の液晶表示素子３０Ｂとを有している。同じ色の液晶表示素子３０Ｒ（または３０Ｇ，３０Ｂ）は同じ列に並んでいる。
【００２９】
封止枠１２Ｄは、内部の液晶を封止すると共に、第１基板３１と第２基板３２とを貼り合わせる接着層としての機能も有している。すなわち、液晶セル１２は、第１基板３１と第２基板３２とを貼り合わせて外周を固定した構成を有している。なお、図５では、封止枠１２Ｄに網掛けを施している。封止枠１２Ｄは、例えば熱硬化樹脂または紫外線硬化樹脂により構成されている。
【００３０】
図６は、この液晶セル１２の表示領域１２Ｃの断面構成を表したものであり、具体的には、図５に示した緑色の液晶表示素子３０Ｇと青色の液晶表示素子３０Ｂとの境界における断面構成を表している。液晶セル１２は、上述したように、第１基板３１と第２基板３２とを対向配置し、その間に液晶層３３を封止した構成を有している。第１基板３１および第２基板３２は、例えば、ガラス基板により構成されている。
【００３１】
液晶パネル１０は、例えば、ＶＡ（Vertical Alignment）方式であることが好ましい。ＶＡ方式の利点は、ＩＰＳ（In Plane Switching）方式に比べて、電圧オフのときはバックライト光が液晶分子Ｍの影響を受けず、偏光板でほぼ完全に遮断されることである。つまり、かなり純粋な黒を表現可能であり、コントラスト比を高くしやすい。このことから、ＶＡ方式は、高画質化しているテレビジョン装置の液晶パネルとして広く普及している。
【００３２】
また、図６では、例えば、カラーフィルタＣＦを第１基板３１側に設けた、いわゆるＣＯＡ構造の場合を表している。すなわち、第１基板３１には、例えば、層間絶縁膜３１Ａと、データ線ＤＬ１，ＤＬ２と、緑色のカラーフィルタＣＦｇと、青色のカラーフィルタＣＦｂと、配向膜３１Ｂとが、第１基板３１に近い方からこの順に設けられている。第２基板３２には、例えば、ブラックマトリクスＢＭと、配向膜３２Ｂとが、第２基板３２に近い方からこの順に設けられている。
【００３３】
データ線ＤＬ１，ＤＬ２、カラーフィルタＣＦｇ，ＣＦｂおよびブラックマトリクスＢＭは、図５に示した複数の画素ＰＸＬの各々に設けられている。また、赤色の液晶表示素子３０Ｒには、赤色のカラーフィルタＣＦｒ（図６には図示せず、図１４ないし図１６参照。）およびデータ線（図示せず）が設けられている。
【００３４】
カラーフィルタＣＦｇ，ＣＦｂの境界の重なり部分では、図６に示したように、カラーフィルタＣＦｂの表面に窪み（いわゆる、ツノ（Ｔｓｕｎｏ）領域ＴＮ）が生じている。カラーフィルタＣＦｇ，ＣＦｒの境界の重なり部分、およびカラーフィルタＣＦｒ，ＣＦｂの境界の重なり部分も同様である。
【００３５】
本実施の形態では、データ線ＤＬ１，ＤＬ２およびカラーフィルタＣＦｇ，ＣＦｂが、本開示における「第１構造物」の一具体例に対応し、ブラックマトリクスＢＭが「第２構造物」の一具体例に対応する。
【００３６】
この表示装置１では、ブラックマトリクスＢＭとデータ線ＤＬ１，ＤＬ２およびカラーフィルタＣＦｇ，ＣＦｂとの相対位置関係は、液晶パネル１０（液晶セル１２）の非平面特性に応じて二次元的に調整されている。これにより、この表示装置１では、色ムラや表示ムラを抑えて高品質な表示を行うことが可能となっている。
【００３７】
ここに「非平面特性」とは、所定の映像情報に基づく色ムラまたは表示ムラに関する測定値をいう。所定の映像情報とは、例えば、全黒であることが好ましい。全黒表示を行うことにより、上述したＶＡ方式の特性から、色ムラまたは表示ムラに関する測定値を得やすくなる。
【００３８】
以下、本実施の形態における相対位置関係の二次元的な調整について詳しく説明する。
【００３９】
平面パネルでは、図示しないが、第１基板３１上のデータ線ＤＬ１，ＤＬ２およびカラーフィルタＣＦｇ，ＣＦｂと、第２基板３２上のブラックマトリクスＢＭとは、互いに対向する位置に配置される。バックライトからの光は、カラーフィルタＣＦｇ，ＣＦｂを通って所望の色光として視認される。
【００４０】
一方、湾曲パネルの場合には、平面パネルを湾曲状に変形させるので、図７に示したように、ブラックマトリクスＢＭとデータ線ＤＬ１，ＤＬ２およびカラーフィルタＣＦｇ，ＣＦｂとの相対位置関係がずれてしまう。そのため、バックライトからの光が所定の経路を外れ、色ムラ、輝度ムラの原因となる。例えば、本実施の形態のようなＣＯＡ構造では、ブラックマトリクスＢＭが位置ずれの影響を受けるので、光漏れにより輝度ムラが生じるおそれがある。また、後述するように、パネル構成によっては、カラーフィルタＣＦｇ，ＣＦｂが位置ずれの影響を受け、色ムラが生じるおそれもある。
【００４１】
図８は、湾曲した液晶パネル１０において、ブラックマトリクスＢＭとデータ線ＤＬ１，ＤＬ２およびカラーフィルタＣＦｇ，ＣＦｂとの相対位置関係のずれに起因する表示不良を模式的に表したものである。液晶パネル１０がＸ方向に一次元的に湾曲されている場合、液晶パネル１０を全黒表示させると、湾曲方向（Ｘ方向）の両端部に左右対称に楕円状に色つきのムラ４０が発生する。このムラ４０は、多重環状に観察され、最も外側の有色帯４０Ａ（color band）、その内側に中立帯４０Ｂ（neutral band）、最も内側の高光漏れ領域４０Ｃ（high leakage region）を含む。なお、このムラ４０は視野角依存性があり、正面からは見えないが、上斜め方向または下斜め方向から視認される。
【００４２】
図９は、平面パネルにおけるブラックマトリクスＢＭと、データ線ＤＬ１，ＤＬ２およびカラーフィルタＣＦｇ，ＣＦｂとの相対位置関係を表したものである。図９では、データ線ＤＬ１，ＤＬ２とブラックマトリクスＢＭとが対向し、データ線ＤＬ１，ＤＬ２の中間点とブラックマトリクスＢＭの中央とが整合している。なお、光漏れが生じない程度の位置ずれは許容される。データ線ＤＬ１，ＤＬ２の幅Ｗ１は、例えば６．５μｍである。データ線ＤＬ１，ＤＬ２間の間隔Ｗ２は、例えば８μｍである。ブラックマトリクスＢＭの幅Ｗ３は、例えば１８μｍである。データ線ＤＬ１，ＤＬ２の端とブラックマトリクスＢＭの端との間の間隔Ｗ４は、例えば１．５μｍである。
【００４３】
図１０ないし図１２は、有色帯４０Ａ、中立帯４０Ｂおよび高光漏れ領域４０ＣのそれぞれにおけるブラックマトリクスＢＭのデータ線ＤＬ１，ＤＬ２およびカラーフィルタＣＦｇ，ＣＦｂに対する位置ずれ状態を表したものである。なお、図１０ないし図１２では、図９に示したブラックマトリクスの位置ずれがない状態を二点鎖線で表している。また、図１０ないし図１２ではカラーフィルタＣＦｇ，ＣＦｂおよびツノ領域ＴＮを点線で表している。
【００４４】
有色帯４０Ａでは、図１０に示したように、ブラックマトリクスＢＭのずれ量Ｓは小さく、例えば４μｍ以上７μｍ以下である。この場合、ブラックマトリクスＢＭの片端（図１０では左端）がデータ線ＤＬ１から外れる。ブラックマトリクスＢＭの端面には傾斜がついているので、液晶分子Ｍの配向が乱れ、光漏れＬＫが生じる。ブラックマトリクスＢＭの他端（図１０では右端）はデータ線ＤＬ２に重なるのでバックライトからの光は遮蔽される。
【００４５】
中立帯４０Ｂでは、図１１に示したように、ブラックマトリクスＢＭのずれ量Ｓは中程度、例えば７μｍ以上１５μｍ以下である。この場合、ブラックマトリクスＢＭの片端（図１１では左端）がデータ線ＤＬ１から外れる。ブラックマトリクスＢＭの端面には傾斜がついているので、液晶分子Ｍの配向が乱れ、光漏れＬＫが生じる。また、ブラックマトリクスＢＭの他端（図１１では右端）はデータ線ＤＬ２から外れ、カラーフィルタＣＦｇ，ＣＦｂの境界のツノ領域ＴＮに対向する。ブラックマトリクスＢＭの端面には傾斜がついているので、液晶分子Ｍの配向が乱れ、光漏れＬＫが生じる。
【００４６】
高光漏れ領域４０Ｃでは、図１２に示したように、ブラックマトリクスＢＭのずれ量Ｓは大きく、例えば２０μｍ以上である。この場合、ブラックマトリクスＢＭの両端がデータ線ＤＬ１，ＤＬ２から外れ、光漏れＬＫが生じる。
【００４７】
なお、液晶パネル１０が図４に示したように後方（背面側）に凸に湾曲している場合、ブラックマトリクスＢＭの位置ずれは、画面を正面から見て、右側の領域では右向き、左側の領域では左向きとなる。
【００４８】
このように、液晶パネル１０をＸ方向に一次元的に湾曲させていても、ムラ４０あるいはブラックマトリクスＢＭのずれ量Ｓは多重環状の二次元的な分布を示す。従って、本実施の形態では、データ線ＤＬ１，ＤＬ２およびカラーフィルタＣＦｇ，ＣＦｂとブラックマトリクスＢＭとの相対位置関係を、液晶パネル１０の非平面特性、つまりムラ４０あるいはブラックマトリクスＢＭのずれ量Ｓの分布に応じて二次元的に調整するようにしている。
【００４９】
具体的には、液晶パネル１０は、図１３に示したように、調整領域５０を有していることが好ましい。調整領域５０は、データ線ＤＬ１，ＤＬ２およびカラーフィルタＣＦｇ，ＣＦｂとブラックマトリクスＢＭとの相対位置関係の二次元的な調整が施された領域である。
【００５０】
調整領域５０では、複数の画素ＰＸＬの各々においてデータ線ＤＬ１，ＤＬ２およびカラーフィルタＣＦｇ，ＣＦｂのブラックマトリクスＢＭに対する湾曲方向（Ｘ方向）のずれ補正量Ａが設定されていると共に、ずれ補正量Ａが複数の画素ＰＸＬにわたって二次元的に異なっていることが好ましい。このようにすることにより、ムラ４０（ずれ量Ｓ）の分布に合わせて、ずれ補正量Ａの分布を二次元的に調整し、ムラ４０を抑えることが可能となる。
【００５１】
なお、ずれ補正量Ａの大きさは、ずれ量Ｓと同じ、または略同じであり、ずれ補正量Ａの向きは、ずれ量Ｓとは反対向きである。つまり、液晶パネル１０が図４に示したように後方（背面側）に凸に湾曲している場合、ずれ補正量Ａの向きは、画面を正面から見て、右側の領域では左向き、左側の領域では右向きとなる。
【００５２】
また、ずれ補正量Ａは、調整領域５０の中央部で最も大きく、調整領域５０の中央部から調整領域４０の周辺部に向かって二次元的に減少していることが好ましい。液晶パネル１０をＸ方向に一次元的に湾曲させた場合には、図１０ないし図１２に示したように、ブラックマトリクスＢＭのずれ量Ｓは、ムラ４０の中央部（高光漏れ領域４０Ｃ）で最も大きく、ムラ４０の周辺部（中立帯４０Ｂ、有色帯４０Ａ）に向かって順に減少しているからである。
【００５３】
更に、調整領域５０には、同じく図１３に示したように、多重環状パターンをなす複数領域５０Ａ，５０Ｂ，５０Ｃが設定され、ずれ補正量Ａは、複数領域５０Ａ〜５０Ｃのうち最も内側の領域５０Ｃで最も大きく、最も内側の領域５０Ｃから最も外側の領域５０Ａに向かって段階的に減少していることが好ましい。ブラックマトリクスＢＭの位置ずれは、光漏れを生じない程度まで低減されれば足りるので、ずれ補正量Ａを複数領域５０Ａ〜５０Ｃに応じて段階的に設定することによって、各画素ＰＸＬのずれ補正量Ａを個別に設定するのと同様な効果を容易に得ることが可能である。
【００５４】
なお、調整領域５０内の複数領域５０Ａ，５０Ｂ，５０Ｃの数は、図１３に示した３重環状パターンに限られず、ムラ４０あるいはブラックマトリクスＢＭのずれ量Ｓの分布に合わせて、２重、または４重以上の多重環状パターンとすることも可能である。
【００５５】
最も外側の領域５０Ａは、ムラ４０の有色帯４０Ａに対応する。この領域５０Ａでは、図１４に示したように、各画素ＰＸＬにおいて、ブラックマトリクスＢＭのデータ線ＤＬ１，ＤＬ２およびカラーフィルタＣＦｇ，ＣＦｂに対する湾曲方向（Ｘ方向）のずれ補正量Ａ１を小さく、例えば４μｍ以上７μｍ以下とする。なお、図１４ないし図１６では、わかりやすくするため、ブラックマトリクスＢＭとカラーフィルタＣＦｒ，ＣＦｇ，ＣＦｂとの相対位置関係を表し、データ線ＤＬ１，ＤＬ２を省略している。
【００５６】
中間の領域５０Ｂは、ムラ４０の中立帯４０Ｂに対応する。この領域５０Ｂでは、図１５に示したように、各画素ＰＸＬにおいて、ブラックマトリクスＢＭのデータ線ＤＬ１，ＤＬ２に対する湾曲方向（Ｘ方向）のずれ補正量Ａ２を中程度（Ａ２＞Ａ１）、例えば７μｍ以上１５μｍ以下とする。
【００５７】
最も内側の領域５０Ｃは、ムラ４０の高光漏れ領域４０Ｃに対応する。この領域５０Ｃでは、図１６に示したように、各画素ＰＸＬにおいて、ブラックマトリクスＢＭのデータ線ＤＬ１，ＤＬ２に対する湾曲方向（Ｘ方向）のずれ補正量Ａ３を大きく（Ａ３＞Ａ２＞Ａ１）、例えば２０μｍ以上とする。
【００５８】
図１７は、以上説明した図１４ないし図１６に示したずれ補正量Ａ１〜Ａ３の分布と、図１３に示した調整領域５０の領域５０Ａ〜５０Ｃとの対応関係を、Ｘ方向の直線Ｌ１に沿って表したものである。点Ｐ１１は、領域５０Ｃの中央、点Ｐ１４は液晶パネル１０の中央である。
【００５９】
図１８は、図１４ないし図１６に示したずれ補正量Ａ１〜Ａ３の分布と、図１３に示した調整領域５０の領域５０Ａ〜５０Ｃとの対応関係を、Ｙ方向の直線Ｌ２および斜め方向の直線Ｌ３に沿って表したものである。点Ｐ２４および点Ｐ３４は、液晶パネル１０の上辺近傍である。
【００６０】
なお、図１７および図１８は、液晶パネル１０の中央から左側の場合を表しており、ブラックマトリクスＢＭをカラーフィルタＣＦｒ，ＣＦｇ，ＣＦｂに対して右方向にずらしている。液晶パネル１０の中央から右側の場合は、ずれの向きは逆（左方向）となる。
【００６１】
調整領域５０は、ムラ４０の発生位置に応じて、例えば図１３に示したように、液晶パネル１０の湾曲方向（Ｘ方向）における両端部に設けられていることが好ましい。液晶パネル１０は四辺を封止枠１２Ｄで固定されているので、液晶パネル１０を湾曲させた場合のブラックマトリクスＢＭのずれ量Ｓは、封止枠１２Ｄ近傍では比較的小さく、封止枠１２Ｄよりもやや内側で増大するからである。
【００６２】
この表示装置１は、例えば、次のようにして製造することができる。
【００６３】
まず、ガラス等よりなる第１基板３１を用意し、この第１基板３１に、ゲート電極（図示せず）を形成し、続いて層間絶縁膜３１Ａ、半導体層（図示せず）を形成する。そののち、データ線ＤＬ１，ＤＬ２、層間絶縁膜（図示せず）を形成し、カラーフィルタＣＦｇ，ＣＦｂを形成する。
【００６４】
また、ガラス等よりなる第２基板３２を用意し、この第２基板３２にブラックマトリクスＢＭおよび対向電極（図示せず）を形成する。
【００６５】
そののち、例えば第１基板３１の額縁部に、熱硬化樹脂または紫外線硬化樹脂により封止枠１２Ｄを形成する。封止枠１２Ｄは、表示領域１２Ｃを囲む矩形枠状に形成する。
【００６６】
続いて、第１基板３１の表示領域１２Ｃに配向膜３１Ｂを形成し、封止枠１２Ｄ内に液晶を滴下して液晶層３３を形成する。また、第２基板３２の表示領域１２Ｃに配向膜３２Ｂを形成する。そののち、第１基板３１と第２基板３２とを封止枠１２Ｄを挟んで対向配置し、封止枠１２Ｄを構成する樹脂を硬化させることにより第１基板３１と第２基板３２との貼り合わせを行う。これにより、図５および図６に示した液晶セル１２が形成される。ここまでの工程は、第１基板３１および第２基板３２が平坦な状態で行う。
【００６７】
そののち、所望の円弧状の湾曲を持たせた板部材１７を用意し、この板部材１７の一面に、反射板１６，導光板１５および光学シート１４を載せる。また、放熱板および光源（いずれも図示せず）等のバックライト部品を配置する。続いて、板部材１７の周縁部に中間筐体１３を載せ、中間筐体１３に液晶セル１２を嵌め込み、液晶セル１２の前面周縁部に前部筐体１１を取り付ける。これにより、液晶パネル１０が形成される。
【００６８】
ここで、液晶パネル１０の主要な構成要素（枠状部品および基板類を除く）、すなわち液晶セル１２，光学シート１４，導光板１５および反射板１６は、いずれもガラスまたは樹脂よりなる薄い板状またはシート状の可撓性部材により構成されており、液晶パネル１０は全体として可撓性を有している。従って、液晶パネル１０は、板部材１７に倣って円弧状に湾曲した形状となる。
【００６９】
液晶パネル１０を形成したのち、前部筐体１１にスピーカ（図示せず）を取り付け、板部材１７の裏側に基板類（図示せず）を実装する。そののち、スピーカ（図示せず）を前部外装部材４で遮蔽し、液晶パネル１０および前部外装部材４の上下辺に化粧部材５を被せる。これにより、本体部２が形成される。そののち、本体部２の背面を後部外装部材６で被覆し、本体部２の左右の下部にスタンド３を取り付ける。以上により、図１に示した表示装置１が完成する。
【００７０】
また、本実施の形態では、ブラックマトリクスＢＭとデータ線ＤＬ１，ＤＬ２およびカラーフィルタＣＦｇ，ＣＦｂとの相対位置関係を、液晶パネル１０の非平面特性に応じて二次元的に調整するようにしている。すなわち、ブラックマトリクスＢＭを設ける工程、またはデータ線ＤＬ１，ＤＬ２およびカラーフィルタＣＦｇ，ＣＦｂを設ける工程において、第１基板３１および第２基板３２が平坦な状態で、ブラックマトリクスＢＭとデータ線ＤＬ１，ＤＬ２およびカラーフィルタＣＦｇ，ＣＦｂとの相対位置関係の二次元的な調整を施した調整領域５０を形成したのちに、液晶パネル１０を湾曲させるようにしている。
【００７１】
以下、図６に示したＣＯＡ構造の場合に、ブラックマトリクスＢＭの位置ずれに関して調整領域５０を形成する例について説明する。
【００７２】
まず、液晶パネル１０の非平面特性として、所定の映像情報に基づく色ムラまたは表示ムラに関する測定値を求め、この測定値に基づいてブラックマトリクスＢＭのずれ量Ｓを計測または予測する。すなわち、テストサンプルとなる液晶パネル１０を全黒表示させ、図８に示したムラ４０の発生状態を調べ、図１０ないし図１２に示したブラックマトリクスＢＭのずれ量Ｓの分布を調べる。
【００７３】
次いで、図８に示したムラ４０の発生状態、つまり図１０ないし図１２に示したブラックマトリクスＢＭのずれ量Ｓの分布に応じて、調整領域５０を設定する。調整領域５０では、複数の画素ＰＸＬの各々においてブラックマトリクスＢＭのデータ線ＤＬ１，ＤＬ２およびカラーフィルタＣＦｇ，ＣＦｂに対する湾曲方向（Ｘ方向）のずれ補正量Ａを設定すると共に、ずれ補正量Ａを複数の画素ＰＸＬにわたって二次元的に異ならせる。
【００７４】
ずれ補正量Ａは、図８に示したムラ４０の発生状態、つまり図１０ないし図１２に示したブラックマトリクスＢＭのずれ量Ｓの分布に応じて、調整領域５０の中央部で最も大きく、調整領域５０の中央部から調整領域５０の周辺部に向かって二次元的に減少させる。
【００７５】
具体的には、図１３に示したように、調整領域５０に、多重環状パターンをなす複数領域５０Ａ〜５０Ｃを設定し、ずれ補正量Ａ（図１４ないし図１８に示したずれ補正量Ａ１〜Ａ３）を、複数領域５０Ａ〜５０Ｃのうち最も内側の領域５０Ｃで最も大きくし、最も内側の領域５０Ｃから最も外側の領域５０Ａに向かって段階的に減少させる。
【００７６】
そして、上述した製造方法において、第２基板３２にブラックマトリクスＢＭを設ける工程において、調整領域５０の各画素ＰＸＬのブラックマトリクスＢＭを、複数領域５０Ａ〜５０Ｃのずれ補正量Ａを含んだ配置で形成する。第１基板３１にデータ線ＤＬ１，ＤＬ２およびカラーフィルタＣＦｇ，ＣＦｂを設ける工程では、平面パネルの場合と同様の配置としてよい。
【００７７】
そののち、上述の製造方法により液晶パネル１０を作製し、この液晶パネル１０をＸ方向に一次元的に湾曲させる。その際、湾曲方向（Ｘ方向）の両端部では、ブラックマトリクスＢＭがデータ線ＤＬ１，ＤＬ２およびカラーフィルタＣＦｇ，ＣＦｂに対して湾曲方向（Ｘ方向）に位置ずれを起こす。しかしながら、調整領域５０の複数の画素ＰＸＬのブラックマトリクスＢＭの配置は、湾曲によるずれ量Ｓを予め見込んだずれ補正量Ａを反映して、二次元的に調整されている。よって、液晶パネル１０を湾曲させると、湾曲によるずれ量Ｓと、予め設定しておいたずれ補正量Ａとが相殺され、ブラックマトリクスＢＭとデータ線ＤＬ１，ＤＬ２およびカラーフィルタＣＦｇ，ＣＦｂとの相対位置関係のずれが小さくなる。
【００７８】
この表示装置１では、光源（図示せず）からの光が液晶パネル１０により選択的に透過されることにより、画像表示が行われる。ここでは、液晶パネル１０が一次元方向（Ｘ方向）に後方（背面側）に凸に円弧状に湾曲しているので、図１９に示したように、液晶パネル１０を前方正面から見たときの形状において、中央部が左右部よりもゆるやかに細くなる。よって、遠近法の視覚効果により一体感・没入感を生み出すことが可能となる。とりわけ映画コンテンツなどは、映画館にいるように、より臨場感のある視聴が期待できる。
【００７９】
また、液晶パネル１０の左右にスピーカ（図示せず）が配置されているので、映像と音とが視覚的に分離なく一体化し、上述した液晶パネル１０の湾曲による遠近法の視覚効果と相俟って、一体感・没入感を更に強めることが可能となる。
【００８０】
更に、本実施の形態では、第１基板３１上のブラックマトリクスＢＭと第２基板３２上のデータ線ＤＬ１，ＤＬ２およびカラーフィルタＣＦｇ，ＣＦｂとの相対位置関係が、液晶パネル１０の非平面特性に応じて二次元的に調整されている。よって、ブラックマトリクスＢＭとデータ線ＤＬ１，ＤＬ２およびカラーフィルタＣＦｇ，ＣＦｂとの相対位置関係のずれが小さくなり、ムラ４０が抑えられる。
【００８１】
このように本実施の形態では、ブラックマトリクスＢＭとデータ線ＤＬ１，ＤＬ２およびカラーフィルタＣＦｇ，ＣＦｂとの相対位置関係を、液晶パネル１０の非平面特性に応じて二次元的に調整するようにしたので、色ムラや表示ムラを抑えて高品質な表示を行うことが可能となる。
【００８２】
（変形例１）
図２０は、本開示の変形例１に係る液晶セルの表示領域において、緑色の液晶表示素子と青色の液晶表示素子の境界の断面構成を表したものである。本変形例は、ブラックマトリクスＢＭの表面に、オーバーコート層ＯＣを設けることにより、ブラックマトリクスＢＭの端面の傾斜を被覆して平坦面とし、液晶分子Ｍの配向の乱れを抑え、光漏れを抑えるようにしたものである。このことを除いては、本変形例は上記実施の形態と同様の構成、作用および効果を有している。また、この表示装置１Ａは、ブラックマトリクスＢＭをオーバーコート層ＯＣで被覆することを除いては、上記実施の形態と同様にして製造することができる。
【００８３】
（変形例２）
なお、上記実施の形態では、図６に示したように、カラーフィルタＣＦを第１基板３１側に設けた、いわゆるＣＯＡ構造の場合について説明した。しかしながら、図２１に示したように、本開示は、第１基板３１にデータ線ＤＬ１，ＤＬ２が設けられ、第２基板３２にカラーフィルタＣＦｇ，ＣＦｂおよびブラックマトリクスＢＭが設けられた通常構造の場合にも適用可能である。
【００８４】
すなわち、第１基板３１には、例えば、層間絶縁膜３１Ａと、データ線ＤＬ１，ＤＬ２と、ＳｉＮなどの層間絶縁膜３１Ｃと、配向膜３１Ｂとが、第１基板３１に近い方からこの順に設けられている。第２基板３２には、例えば、ブラックマトリクスＢＭと、カラーフィルタＣＦｇ，ＣＦｂと、オーバーコート層ＯＣと、配向膜３２Ｂとが、第２基板３２に近い方からこの順に設けられている。
【００８５】
本変形例では、データ線ＤＬ１，ＤＬ２が、本開示における「第１構造物」の一具体例に対応し、ブラックマトリクスＢＭおよびカラーフィルタＣＦｇ，ＣＦｂが「第２構造物」の一具体例に対応する。
【００８６】
この表示装置１Ｂでは、ブラックマトリクスＢＭおよびカラーフィルタＣＦｇ，ＣＦｂとデータ線ＤＬ１，ＤＬ２との相対位置関係は、液晶パネル１０（液晶セル１２）の非平面特性に応じて二次元的に調整されている。これにより、この表示装置１Ｂでは、上記実施の形態と同様に、色ムラや表示ムラを抑えて高品質な表示を行うことが可能となっている。
【００８７】
すなわち、本変形例では、液晶パネル１０を湾曲させると、図２２に示したように、ブラックマトリクスＢＭおよびカラーフィルタＣＦｇ，ＣＦｂとデータ線ＤＬ１，ＤＬ２との相対位置関係がずれる。本変形例のような通常構造では、上記実施の形態と同様に、ブラックマトリクスＢＭがずれの影響を受け、光漏れにより輝度ムラが生じると共に、カラーフィルタＣＦｇ，ＣＦｂもずれの影響を受け、色ムラが生じるおそれがある。
【００８８】
ブラックマトリクスＢＭのずれの影響については、上記実施の形態と同様にしてブラックマトリクスＢＭの配置にずれ補正量Ａを反映させて二次元的に調整することにより抑えることが可能である。カラーフィルタＣＦｇ，ＣＦｂのずれの影響も、調整後のブラックマトリクスＢＭの配置に合わせてカラーフィルタＣＦｇ，ＣＦｂを配置することにより抑えることが可能である。
【００８９】
更に、図２１に示したように、ブラックマトリクスＢＭおよびカラーフィルタＣＦｇ，ＣＦｂの表面には、オーバーコート層ＯＣが設けられていることが好ましい。これにより、ブラックマトリクスＢＭおよびカラーフィルタＣＦｇ，ＣＦｂに起因する段差を被覆して平坦面とし、液晶分子の配向の乱れを抑え、光漏れを抑えることが可能となる。
【００９０】
本変形例では、オーバーコート層ＯＣの光吸収による若干の輝度低下のおそれがあり、２Ｋパネルなどに有効である。一方、上記実施の形態のようなＣＯＡ構造では、本変形例に比べて輝度低下が少なく、大画面高画質な４Ｋパネルで有効である。
【００９１】
（変形例３）
また、本開示は、図２３に示したように、第１基板３１にブラックマトリクスＢＭを設けたＢＯＡ構造の場合にも適用可能である。
【００９２】
すなわち、第１基板３１には、例えば、データ線ＤＬ１，ＤＬ２と、ブラックマトリクスＢＭと、オーバーコート層ＯＣと、配向膜３１Ｂとが、第１基板３１に近い方からこの順に設けられている。第２基板３２には、例えば、層間絶縁膜３２Ａと、カラーフィルタＣＦｇ，ＣＦｂと、配向膜３２Ｂとが、第２基板３２に近い方からこの順に設けられている。
【００９３】
本変形例では、データ線ＤＬ１，ＤＬ２およびブラックマトリクスＢＭが、本開示における「第１構造物」の一具体例に対応し、カラーフィルタＣＦｇ，ＣＦｂが「第２構造物」の一具体例に対応する。
【００９４】
この表示装置１Ｃでは、データ線ＤＬ１，ＤＬ２およびブラックマトリクスＢＭとカラーフィルタＣＦｇ，ＣＦｂとの相対位置関係は、液晶パネル１０（液晶セル１２）の非平面特性に応じて二次元的に調整されている。これにより、この表示装置１Ｃでは、上記実施の形態と同様に、色ムラや表示ムラを抑えて高品質な表示を行うことが可能となっている。
【００９５】
すなわち、本変形例では、液晶パネル１０を湾曲させると、図２４に示したように、データ線ＤＬ１，ＤＬ２およびブラックマトリクスＢＭとカラーフィルタＣＦｇ，ＣＦｂとの相対位置関係がずれる。本変形例のようなＢＯＡ構造では、カラーフィルタＣＦｇ，ＣＦｂがずれの影響を受け、色ムラが生じるおそれがある。また、ツノ領域ＴＮの位置ずれにより液晶分子の配向が乱れ、光漏れの原因となる可能性もある。
【００９６】
カラーフィルタＣＦｇ，ＣＦｂのずれの影響については、上記実施の形態と同様にしてカラーフィルタＣＦｇ，ＣＦｂの配置にずれ補正量Ａを反映させて二次元的に調整することにより抑えることが可能である。
【００９７】
更に、図２３に示したように、データ線ＤＬ１，ＤＬ２およびブラックマトリクスＢＭの表面には、オーバーコート層ＯＣが設けられていることが好ましい。これにより、データ線ＤＬ１，ＤＬ２およびブラックマトリクスＢＭに起因する段差を被覆して平坦面とし、液晶分子の配向の乱れを抑え、光漏れを抑えることが可能となる。
【００９８】
（まとめ）
表１は、以上説明した、実施の形態および変形例１のＣＯＡ構造、変形例２の通常構造、変形例３のＢＯＡ構造について、本開示適用前の構造、本開示適用後の構造、および本開示適用前の問題点を一覧にまとめたものである。
【００９９】
【表１】
2014141842.tif 000003
【０１００】
（変形例４〜１０）
次に、液晶パネル１０の湾曲方向や形状に関する変形例４〜１０を説明する。
【０１０１】
（変形例４）
（Ｘ方向に湾曲、凸面状・矩形パネルの例）
上記実施の形態では、液晶パネル１０が後方（背面側）に凸に湾曲した凹面状パネルである場合について説明した。しかしながら、本開示は、図２５および図２６に示したように、液晶パネル１０が前方に凸に湾曲した凸面状パネルである場合にも適用可能である。
【０１０２】
（変形例５）
また、上記実施の形態では、液晶パネル１０がＸ方向に一次元的に湾曲されている場合について説明した。しかしながら、本開示は、図２７および図２８に示したように、液晶パネル１０がＹ方向に一次元的に湾曲されている場合にも適用可能である。このようにＹ方向に一次元的に湾曲された凹面状パネルは、例えば、電子広告などの商業用途が考えられる。
【０１０３】
このように液晶パネル１０がＹ方向に一次元的に湾曲されている場合には、液晶パネル１０を全黒表示させると、湾曲方向（Ｙ方向）の両端部に上下対称に楕円状に色つきのムラ４０が発生する。従って、調整領域５０は、ムラ４０の発生位置に応じて、液晶パネル１０の湾曲方向（Ｙ方向）における両端部に設けられていることが好ましい。
【０１０４】
（変形例６）
上記変形例５では、液晶パネル１０が後方（背面側）に凸に湾曲した凹面状パネルである場合について説明した。しかしながら、本開示は、図２９および図３０に示したように、液晶パネル１０が前方に凸に湾曲した凸面状パネルである場合にも適用可能である。
【０１０５】
（変形例７）
更に、上記実施の形態では、液晶パネル１０の平面形状が矩形である場合について説明した。しかしながら、本開示は、図３１ないし図３３に示したように、液晶パネル１０の平面形状が楕円形であり、後方（背面側）に凸に湾曲した凹面状球面パネルである場合にも適用可能である。このような凹面状球面パネルは、例えばテーマパークやアミューズメントパークなどの用途が考えられる。
【０１０６】
このように液晶パネル１０が球面をなしている場合には、この球面の全体が調整領域５０となることが好ましい。調整領域５０には、図３１に示したように、多重環状パターンをなす複数領域５０Ａ，５０Ｂ，５０Ｃが設定され、ずれ補正量Ａは、複数領域５０Ａ〜５０Ｃのうち最も内側の領域５０Ｃで最も大きく、最も内側の領域５０Ｃから最も外側の領域５０Ａに向かって段階的に減少していることが好ましい。
【０１０７】
（変形例８）
上記変形例７では、液晶パネル１０が後方（背面側）に凸に湾曲した凹面状球面パネルである場合について説明した。しかしながら、本開示は、図３４ないし図３６に示したように、液晶パネル１０が前方に凸に湾曲した凸面状球面パネルである場合にも適用可能である。
【０１０８】
（変形例９）
加えて、上記変形例７では、液晶パネル１０の全体が球面をなしている場合について説明した。しかしながら、本開示は、図３７ないし図３９に示したように、液晶パネル１０の一部（外周部のみ）が球面をなしている場合にも適用可能である。
【０１０９】
すなわち、本変形例の液晶パネル１０は、例えば、中央の平坦部１０Ａと、この平坦部１０Ａの外周の球面部１０Ｂとを有する凹面状一部球面パネルである。この場合には、球面部１０Ｂが調整領域５０となり、調整領域５０に、多重環状パターンをなす複数領域５０Ｄ〜５０Ｈが設定されることが好ましい。ずれ補正量Ａは、複数領域５０Ｄ〜５０Ｈのうちの中間領域５０Ｆで最も大きく、中間領域５０Ｆから最も内側の領域５０Ｈに向かって段階的に減少していると共に、中間領域５０Ｆから最も外側の領域５０Ｄに向かって段階的に減少していることが好ましい。
【０１１０】
中間領域５０Ｆのずれ補正量Ａは、例えば、上記実施の形態の領域５０Ｃと同等とすることが可能である。最も内側の領域５０Ｈおよび最も外側の領域５０Ｄのずれ補正量Ａは、上記実施の形態の領域５０Ａと同等とすることが可能である。領域５０Ｅ，５０Ｇのずれ補正量Ａは、上記実施の形態の領域５０Ｂと同等することが可能である。
【０１１１】
（変形例１０）
上記変形例９では、球面部１０Ｂが後方（背面側）に凸に湾曲している場合について説明した。しかしながら、本開示は、図４０ないし図４２に示したように、球面部１０Ｂが前方に凸に湾曲した凸面状一部球面パネルの場合にも適用可能である。
【０１１２】
（変形例１１〜１３）
以下、オーバーコート層ＯＣを不要とした変形例１１〜１３について説明する。
【０１１３】
（変形例１１）
上記変形例１では、図２０に示したように、ブラックマトリクスＢＭの表面に、オーバーコート層ＯＣを設けることにより、ブラックマトリクスＢＭの端面の傾斜を被覆して平坦面とし、液晶分子の配向の乱れを抑え、光漏れを抑える場合について説明した。しかしながら、図４３に示したように、オーバーコート層ＯＣを省略し、ブラックマトリクスＢＭの傾斜角度θを小さくすることにより、液晶分子Ｍの配向不良の影響を軽減することも可能である。オーバーコート層ＯＣを省略することにより、オーバーコート層ＯＣでの光吸収をなくし、輝度向上が可能となる。
【０１１４】
本変形例のブラックマトリクスＢＭは、例えば、エッチング条件の調整によりブラックマトリクスＢＭの側面の傾斜角度θを小さくし、図４３に示したような楔形の断面形状とすることによって形成可能である。ブラックマトリクスＢＭの側面の傾斜角度θは、例えば５度以上４５度以下の範囲であることが好ましい。これにより液晶分子Ｍの配向不良の影響を軽減することが可能となる。
【０１１５】
（変形例１２）
あるいは、図４４に示したように、ブラックマトリクスＢＭとオーバーコート層ＯＣとの高さを同じにすることにより、液晶分子Ｍの配向不良の影響を軽減することも可能である。
【０１１６】
このようにブラックマトリクスＢＭおよびオーバーコート層ＯＣの高さを揃える方法としては、例えば、第２基板３２上にブラックマトリクスＢＭおよびオーバーコート層ＯＣを形成し、オーバーコート層ＯＣのみをエッチングすることが可能である。
【０１１７】
（変形例１３）
また、図４５および図４６に示したように、第２基板３２に窪み３２Ｃを設け、この窪み３２ＣにブラックマトリクスＢＭを埋め込むことも可能である。このようにしても、オーバーコート層ＯＣを省略し、液晶分子Ｍの配向不良の影響を軽減することが可能である。
【０１１８】
窪み３２Ｃは、例えば、底が平坦な凹状であることが好ましい。ブラックマトリクスＢＭは樹脂なので、窪み３２Ｃの底が平坦の方が全体的に平坦になりやすいからである。
【０１１９】
本変形例では、まず、第２基板３２の切削加工などにより窪み３２Ｃを設け、窪み３２ＣにブラックマトリクスＢＭを埋込む。次いで、エッチングによりブラックマトリクスＢＭの表面を平坦化し、ブラックマトリクスＢＭの表面と第２基板３２の表面とを面一とする。
【０１２０】
以上、実施の形態を挙げて本開示を説明したが、本開示は上記実施の形態に限定されるものではなく、種々の変形が可能である。例えば、上記実施の形態または変形例では、調整領域５０を３段階３重環状パターンの複数領域５０Ａ〜５０Ｃあるいは３段階５重環状パターンの複数領域５０Ｄ〜５０Ｈに分ける場合について説明した。しかしながら、調整領域５０は、これに限らず、２段階の２重環状パターンあるいは２段階の３重環状パターンに分けることも可能であるし、４段階以上の多重環状パターンに分けることも可能である。
【０１２１】
また、例えば、上記実施の形態において説明した各層の材料および厚みなどは限定されるものではなく、他の材料および厚みとしてもよい。液晶層３３はＶＡ方式に限られない。
【０１２２】
更に、例えば、上記実施の形態において表示装置１（テレビジョン装置）の構成を具体的に挙げて説明したが、全ての構成要素を備える必要はなく、また、他の構成要素を更に備えていてもよい。
【０１２３】
本開示は、液晶パネル１０の画面サイズにかかわらず適用可能である。また、本開示の適用は、液晶パネル１０の解像度によって特に限定されず、ＦＨＤ（Full High Definition），２Ｋパネルまたは４Ｋパネルのいずれにも適用可能である。解像度が高くなるほどブラックマトリクスＢＭの段差の影響が大きくなるため、更に高い効果を享受することが可能である。
【０１２４】
本開示は、上記実施の形態で説明したテレビジョン装置のほか、他の表示装置、湾曲スマートフォン、タブレットなど、外部から入力された映像信号あるいは内部で生成した映像信号を、画像あるいは映像として表示するあらゆる分野の電子機器に広く適用することが可能である。
【０１２５】
なお、本技術は以下のような構成を取ることも可能である。
（１）
第１基板と第２基板とを対向配置した表示パネルを備え、
前記第１基板には第１構造物が設けられ、
前記第２基板には第２構造物が設けられ、
前記第１構造物と前記第２構造物との相対位置関係が、前記表示パネルの非平面特性に応じて二次元的に調整されている
表示装置。
（２）
前記表示パネルは、湾曲されていると共に、前記相対位置関係の二次元的な調整が施された調整領域を含む
前記（１）記載の表示装置。
（３）
前記表示パネルは、二次元配置された複数の画素を有し、
前記第１構造物および前記第２構造物は、前記複数の画素の各々に設けられ、
前記調整領域では、前記複数の画素の各々において前記第２構造物の前記第１構造物に対する湾曲方向のずれ補正量が設定されていると共に、前記ずれ補正量が前記複数の画素にわたって二次元的に異なっている
前記（２）記載の表示装置。
（４）
前記ずれ補正量は、前記調整領域の中央部で最も大きく、前記調整領域の前記中央部から前記調整領域の周辺部に向かって二次元的に減少している
前記（３）記載の表示装置。
（５）
前記調整領域に、多重環状パターンをなす複数領域が設定され、
前記ずれ補正量は、前記複数領域のうち最も内側の領域で最も大きく、前記最も内側の領域から最も外側の領域に向かって段階的に減少している
前記（４）記載の表示装置。
（６）
前記表示パネルは、一次元的に湾曲され、前記湾曲方向における両端部が前記調整領域となっている
前記（５）記載の表示装置。
（７）
前記表示パネルは、球面をなし、前記球面が前記調整領域となっている
前記（５）記載の表示装置。
（８）
前記表示パネルは、平坦部と、前記平坦部の外周の球面部とを有し、前記球面部が前記調整領域となっており、
前記調整領域に、多重環状パターンをなす複数領域が設定され、
前記ずれ補正量は、前記複数領域のうちの中間領域で最も大きく、前記中間領域から最も内側の領域に向かって段階的に減少していると共に、前記中間領域から最も外側の領域に向かって段階的に減少している
前記（４）記載の表示装置。
（９）
前記非平面特性は、所定の映像情報に基づく色ムラまたは表示ムラに関する測定値である
前記（１）ないし（８）のいずれか１項に記載の表示装置。
（１０）
前記表示パネルは液晶パネルであり、
前記第１構造物はブラックマトリクスであり、
前記第２構造物は配線またはカラーフィルタである
前記（１）ないし（９）のいずれか１項に記載の表示装置。
（１１）
前記液晶パネルはＶＡ方式である
前記（１０）記載の表示装置。
（１２）
前記ブラックマトリクスまたは前記カラーフィルタの表面にオーバーコート層を有する
前記（１０）または（１１）記載の表示装置。
（１３）
第１基板に第１構造物を設ける工程と、
第２基板に第２構造物を設ける工程と、
前記第１基板と前記第２基板とを対向配置して表示パネルを形成する工程と
を含み、
前記第１構造物と前記第２構造物との相対位置関係を、前記表示パネルの非平面特性に応じて二次元的に調整する
表示装置の製造方法。
（１４）
前記第１構造物または前記第２構造物を設ける工程において、前記第１基板または前記第２基板が平坦な状態で、前記相対位置関係の二次元的な調整を施した調整領域を形成したのち、
前記表示パネルを形成する工程において、前記表示パネルを湾曲させる
前記（１３）記載の表示装置の製造方法。
（１５）
前記表示パネルに、二次元配置された複数の画素を形成し、
前記第１構造物および前記第２構造物を、前記複数の画素の各々に設け、
前記調整領域では、前記複数の画素の各々において前記第２構造物の前記第１構造物に対する湾曲方向のずれ補正量を設定すると共に、前記ずれ補正量を前記複数の画素にわたって二次元的に異ならせる
前記（１４）記載の表示装置の製造方法。
（１６）
前記ずれ補正量を、前記調整領域の中央部で最も大きく、前記調整領域の前記中央部から前記調整領域の周辺部に向かって二次元的に減少させる
前記（１５）記載の表示装置の製造方法。
（１７）
前記調整領域に、多重環状パターンをなす複数領域を設定し、
前記ずれ補正量を、前記複数領域のうち最も内側の領域で最も大きくし、前記最も内側の領域から最も外側の領域に向かって段階的に減少させる
前記（１６）記載の表示装置の製造方法。
（１８）
前記非平面特性として、所定の映像情報に基づく色ムラまたは表示ムラに関する測定値を求め、
前記測定値に基づいて前記ずれ補正量を計測または予測する
前記（１６）または（１７）記載の表示装置の製造方法。
（１９）
前記表示パネルとして液晶パネルを形成し、
前記第１構造物としてブラックマトリクスを形成し、
前記第２構造物として配線またはカラーフィルタを形成する
前記（１３）ないし（１８）のいずれか１項に記載の表示装置の製造方法。
（２０）
前記ブラックマトリクスまたは前記カラーフィルタの表面にオーバーコート層を形成する
前記（１９）記載の表示装置の製造方法。
【０１２６】
本出願は、日本国特許庁において２０１３年３月１５日に出願された日本特許出願番号２０１３−５３２６１号を基礎として優先権を主張するものであり、この出願のすべての内容を参照によって本出願に援用する。
【０１２７】
当業者であれば、設計上の要件や他の要因に応じて、種々の修正、コンビネーション、サブコンビネーション、および変更を想到し得るが、それらは添付の請求の範囲やその均等物の範囲に含まれるものであることが理解される。
【図１】
2014141842.tif 000004
【図２】
2014141842.tif 000005
【図３】
2014141842.tif 000006
【図４】
2014141842.tif 000007
【図５】
2014141842.tif 000008
【図６】
2014141842.tif 000009
【図７】
2014141842.tif 000010
【図８】
2014141842.tif 000011
【図９】
2014141842.tif 000012
【図１０】
2014141842.tif 000013
【図１１】
2014141842.tif 000014
【図１２】
2014141842.tif 000015
【図１３】
2014141842.tif 000016
【図１４】
2014141842.tif 000017
【図１５】
2014141842.tif 000018
【図１６】
2014141842.tif 000019
【図１７】
2014141842.tif 000020
【図１８】
2014141842.tif 000021
【図１９】
2014141842.tif 000022
【図２０】
2014141842.tif 000023
【図２１】
2014141842.tif 000024
【図２２】
2014141842.tif 000025
【図２３】
2014141842.tif 000026
【図２４】
2014141842.tif 000027
【図２５】
2014141842.tif 000028
【図２６】
2014141842.tif 000029
【図２７】
2014141842.tif 000030
【図２８】
2014141842.tif 000031
【図２９】
2014141842.tif 000032
【図３０】
2014141842.tif 000033
【図３１】
2014141842.tif 000034
【図３２】
2014141842.tif 000035
【図３３】
2014141842.tif 000036
【図３４】
2014141842.tif 000037
【図３５】
2014141842.tif 000038
【図３６】
2014141842.tif 000039
【図３７】
2014141842.tif 000040
【図３８】
2014141842.tif 000041
【図３９】
2014141842.tif 000042
【図４０】
2014141842.tif 000043
【図４１】
2014141842.tif 000044
【図４２】
2014141842.tif 000045
【図４３】
2014141842.tif 000046
【図４４】
2014141842.tif 000047
【図４５】
2014141842.tif 000048
【図４６】
2014141842.tif 000049
【国際調査報告】
2014141842.tif 000050
2014141842.tif 000051